(57)【特許請求の範囲】
【請求項１】
魚類（Ｆ）の頭部（Ｆ１）にある脳死ポイント（Ｐ）に対して外部からショックを与えることにより脳死状態にする魚類用脳死装置において、
前記脳死ポイント（Ｐ）近くのエラ周り面（Ｆ２）の外周面に沿った略楕円形状の内形状を有し、前記エラ周り面（Ｆ２）に嵌り合う挿入口（１ａ）が開設された位置決め手段（１）と、該位置決め手段（１）が取り付けられる固着手段が設けられ、前記挿入口（１ａ）内へ向けて打撃部（２ａ）が空気圧により突出動する持ち運び可能なハンマー手段（２）とを備え、前記位置決め手段（１）の挿入口（１ａ）内に魚類（Ｆ）の頭部（Ｆ１）を嵌入した状態で、その脳死ポイント（Ｐ）とハンマー手段（２）の打撃部（２ａ）が対向するように配置したことを特徴とする魚類用脳死装置。
【請求項２】
前記位置決め手段（１）の挿入口（１ａ）が、サイズが異なる魚類（Ｆ）の頭部（Ｆ１）に対応して複数種類用意され、頭部（Ｆ１）のサイズに合わせて交換自在である請求項１記載の魚類用脳死装置。
【請求項３】
請求項１または２記載の魚類用脳死装置の挿入口（１ａ）を水中に挿入し、水中で挿入口（１ａ）内に頭部（Ｆ１）を嵌入させることを特徴とする魚類用脳死装置の使用方法。
【請求項４】
前記頭部（Ｆ１）が嵌入した挿入口（１ａ）を、水中から水上へ持ち上げてから、ハンマー手段（２）の打撃部（２ａ）を突出動させる請求項３記載の魚類用脳死装置の使用方法。
【請求項５】
前記挿入口（１ａ）を、魚類（Ｆ）の測線（Ｆ３）に対して斜めに嵌入させた請求項３または４記載の魚類用脳死装置の使用方法。
【発明の詳細な説明】
【０００１】
【発明の属する技術分野】
本発明は、例えばサケ、マスなどの魚類の人工ふ化やその採卵のため、捕獲した魚類を脳死状態にする魚類用脳死装置に関する。
詳しくは、魚類の頭部にある脳死ポイントに対して外部からショックを与えることにより脳死状態にする魚類用脳死装置に関する。
【０００２】
【従来の技術】
従来、この種の魚類用脳死装置として、例えば特公平５−２００５２号公報に開示される如く、捕獲した魚類を導電性の内ケース上に載置し、その頭部を頭部ケース内に挿入れて、導電針を魚類の脳に突き刺し、これら導電針と内ケースとに通電して魚類の脳に電圧を印加し電気ショックを与えることにより、一瞬のうちに脳死状態にして一部の機能を停止させ、この脳死した魚類の脳以外の各臓器が正常に動作し続けている間に、それを頭部ケースから排出して採卵するものがある。
また、魚類は捕獲して水中から取り上ると、慣れない環境に驚いて暴れ、特に産卵期近くのサケは大きくてしかも水中から取り上げた直後の表面は濡れて滑り易いため、地上に固定配備された内ケース上に載置して頭部を頭部ケース内に挿入し終えるまで、作業者が押さえ続ける必要があった。
【０００３】
【発明が解決しようとする課題】
しかし乍ら、このような従来の魚類用脳死装置では、魚類に通電して脳死状態にするため、通電開始時に作業者が濡れた魚類に触れていると、感電する恐れがあって非常に危険であるという問題がある。
更に、水中から取り出し暴れる魚類を地上へ取り上げて移動不能に押さえ込む準備作業が必要であるため、これらの準備作業に手間取り、作業性が悪くて短時間に大量の魚類を脳死できないという問題もある。
【０００４】
本発明のうち請求項１記載の発明は、脳死ポイントの位置検出が簡単でしかも通電しない魚類用脳死装置を提供することを目的としたものである。
請求項２記載の発明は、請求項１に記載の発明の目的に加えて、異なる大きさの魚類が一つの装置で対応させることを目的としたものである。
請求項３記載の発明は、請求項１または２に記載の発明の目的に加えて、準備作業をスムーズに行うことを目的としたものである。
請求項４記載の発明は、請求項３に記載の発明の目的に加えて、魚類が多少暴れても脳死ポイントへハンマーショックを確実に与えることを目的としたものである。
請求項５記載の発明は、請求項３または４に記載の発明の目的に加えて、魚類Ｆの頭部Ｆ１が標準サイズより若干小さい又は大きい場合でも交換部品なしで対応可能にすることを目的としたものである。
【０００５】
【課題を解決するための手段】
前述した目的を達成するために、本発明のうち請求項１記載の発明は、脳死ポイントＰ近くのエラ周り面Ｆ２の外周面に沿った略楕円形状の内形状を有し、エラ周り面Ｆ２に嵌り合うと嵌め合う挿入口１ａが開設された位置決め手段１と、該位置決め手段１が取り付けられる固着手段が設けられ、挿入口１ａ内へ向けて打撃部２ａが空気圧により突出動する持ち運び可能なハンマー手段２とを備え、上記位置決め手段１の挿入口１ａ内に魚類Ｆの頭部Ｆ１を嵌入した状態で、その脳死ポイントＰとハンマー手段２の打撃部２ａが対向するように配置したことを特徴とするものである。ここで、脳死ポイントＰとは、頭部Ｆ１の背側で両目を結ぶ線の中心位置より尾側へ約１cm程度離れた位置である。請求項２記載の発明は、請求項１記載の発明の構成に、前記位置決め手段１の挿入口１ａが、サイズが異なる魚類Ｆの頭部Ｆ１に対応して複数種類用意され、頭部Ｆ１のサイズに合わせて交換自在である構成を加えたことを特徴とする。請求項３記載の発明は、請求項１または２記載の発明の構成に、前記挿入口１ａを水中に挿入し、水中で挿入口１ａ内に頭部Ｆ１を嵌入させる構成を加えたことを特徴とする。請求項４記載の発明は、請求項３記載の発明の構成に、前記頭部Ｆ１が嵌入した挿入口１ａを、水中から水上へ持ち上げてから、ハンマー手段２の打撃部２ａを突出動させる構成を加えたことを特徴とする。請求項３記載の発明は、請求項３または４記載の発明の構成に、前記挿入口１ａを、魚類Ｆの測線Ｆ３に対して斜めに嵌入させた構成を加えたことを特徴とする。
【０００６】
【作用】
請求項１の発明は、位置決め手段１の挿入口１ａ内に魚類Ｆの頭部Ｆ１を嵌入することにより、この挿入口１ａに対して頭部Ｆ１が移動不能に位置決めされると同時に、その脳死ポイントＰと対向してハンマー手段２の打撃部２ａが位置決めされ、この嵌入状態でハンマー手段２の打撃部２ａを空気圧により突出動させれば、脳死ポイントＰにハンマーショックが与えられて撲殺されるものである。
請求項２の発明は、請求項１記載の構成に対して、前記位置決め手段１の挿入口１ａが、サイズが異なる魚類Ｆの頭部Ｆ１に対応して複数種類用意され、頭部Ｆ１のサイズに合わせて交換自在である構成を追加したので、脳死させる魚類Ｆの頭部Ｆ１のサイズに合わせて、それに適合するサイズの挿入口１ａに交換することにより、ハンマー手段２の打撃部２ａが共通して使用可能となる。
請求項３の発明は、請求項１または２記載の構成に対して、前記挿入口１ａを水中に挿入し、水中で挿入口１ａ内に頭部Ｆ１を嵌入させる構成を追加したので、水中で挿入口１ａ内に頭部Ｆ１を嵌入させる準備作業が、魚類Ｆを水中から水上へ取り上けずに行えるから、魚類Ｆが慣れない環境に驚いて暴れることがない。
請求項４の発明は、請求項３記載の構成に対して、前記頭部Ｆ１が嵌入した挿入口１ａを、水中から水上へ持ち上げてから、ハンマー手段２の打撃部２ａを突出動させる構成を追加したので、魚類Ｆは頭部Ｆ１を水中から水上へ持ち上げられるために暴れるが、そのエラ周り面Ｆ２が挿入口１ａに対し隙間なく嵌合して位置ズレしない。
請求項５の発明は、請求項３または４記載の構成に対して、前記挿入口１ａを、魚類Ｆの測線Ｆ３に対して斜めに嵌入させた構成を追加したので、頭部Ｆ１が標準サイズより若干小さい又は大きい魚類Ｆの場合には、挿入口１ａを魚類Ｆの測線Ｆ３に対して斜めに配置することにより、魚類Ｆの脳死ポイントＰにハンマー手段２の打撃部２ａが正確に位置合わせされる。
【０００７】
【発明の実施の形態】
以下、本発明の実施例を図面に基づいて説明する。
この実施例は、図１〜図３に示す如く、魚類用脳死装置Ａが、魚類Ｆの頭部Ｆ１の背側にある脳死ポイントＰ（両目を結ぶ線の中心位置より尾側へ約１cm程度離れた位置）近くのエラ周り面Ｆ２と係合する位置決め手段１と、この位置決め手段１で位置決めされた頭部Ｆ１の脳死ポイントＰへ向けて突出動する撲殺用のハンマー手段２とから構成される場合を示すものである。
【０００８】
上記位置決め手段１には、図１（ａ）及び（ｂ）に示す如く、脳死ポイントＰ近くのエラ周り面Ｆ２と嵌め合う挿入口１ａが開設され、この挿入口１ａの内形状は、該頭部Ｆ１のエラ周り面Ｆ２に沿って隙間なく嵌合する略楕円形に形成される。
詳しくは、魚類Ｆの測線Ｆ３方向と直交する方向へ頭部Ｆ１を縦断した際の外周面に沿って、少なくとも魚類Ｆの腹側及び両側面と対向する部分が楕円形状に形成される。
【０００９】
本実施例の場合には、脳死ポイントＰを通るエラ周り面Ｆ２に沿って測線Ｆ３と直交する方向へ、断面円形の線材１ｂを略Ｕ字形に折り曲げることにより、脳死ポイントＰ及びその周辺部を除いたエラ周り面Ｆ２の大部分と線接触させ、この線材１ｂの両端部１ｃ，１ｃを、後述するハンマー手段２に対して着脱自在に取り付けることにより、これら両者が一体化される。
【００１０】
このハンマー手段２は、上記挿入口１ａ内へ向けて空気圧駆動により往復動する打撃部２ａを有する。
本実施例の場合には、上記ハンマー手段２が例えば釘打機などのエアーガンであり、そのトリガー２ｂを引くと、例えばコンプレッサーなどの圧力供給源（図示せず）から供給された圧縮空気によってピストン２ｃが所定圧力で急速に約５mm〜１cm程度突出動するように構成されている。
このピストン２ｃの先端に円柱状の打撃部２ａを固着し、この打撃部２ａの外表面には、滑り止め防止のために凹凸部２ｄを形成することが好ましい。
【００１１】
更に、上記ピストン２ｂの周囲には、前記線材１ｂの両端部１ｃ，１ｃを着脱自在に取り付けるための固着手段２ｅが設けられる。
図示例の場合には、この固着手段２ｅがネジであるが、これに限定されず、線材１ｂの両端部１ｃ，１ｃを着脱自在に取り付けることができれば、他の構造でも良い。
【００１２】
そして、前記位置決め手段１の挿入口１ａは、サイズが異なる魚類Ｆの頭部Ｆ１に対応して複数種類用意され、これらは夫々上記固着手段２ｅによってハンマー手段２を構成するエアーガンに対し交換自在であり、これらの中から頭部Ｆ１のサイズに合ったものを選択して取り付ける。
特に人工ふ化のため産卵期近くのサケを脳死させる場合、それら親魚には雄と雌とでサイズが違うものの、雄雌の夫々に全長に大小の違いがあっても頭部Ｆ１の大きさは同一サイズであるため、少なくとも図１（ａ）に示す雄の親魚の標準的な頭部サイズに対応した大きめのものと、雌の標準的な頭部サイズに対応した小さめのもの（図示せず）を２種類用意すれば足りる。
【００１３】
次に、斯かる魚類用脳死装置の使用方法を手順に従って説明する。
先ず、作業者は位置決め手段１の挿入口１ａのみを水中に挿入し、その待機位置へ向け脳死させる魚類Ｆを追い込んで、その頭部Ｆ１を挿入口１ａ内に嵌入させるか、或いは、水中で位置決め手段１の挿入口１ａを、脳死させる魚類Ｆへ向け移動して、その頭部Ｆ１を挿入口１ａ内に嵌入させる。
そして、図１（ａ）及び（ｂ）に示す如く、この挿入口１ａの内周縁が脳死ポイントＰ近くのエラ周り面Ｆ２に密接して位置ズレしない位置まで嵌め込む。
【００１４】
それにより、上記挿入口１ａに対して頭部Ｆ１が移動不能に位置決めされると同時に、その脳死ポイントＰと対向してハンマー手段２の打撃部２ａが位置決めされる。
その結果、脳死ポイントＰの位置検出が簡単である。
【００１５】
その際、脳死させる魚類Ｆを水面近くまで誘導すれば、その背側にある脳死ポイントＰと対向するハンマー手段２のエアーガンまでは、水中に挿入しなくても良く、それにより機械部分が濡れず、厳密な防水処理を施さなくても良い。
【００１６】
これらの準備作業は、脳死させる魚類Ｆを水中から水上へ取り上けないから、慣れない環境に驚いて暴れることなくスムーズに行え、非常に簡単で短時間に行える。
【００１７】
その後、この嵌入状態で、ハンマー手段２の打撃部２ａを空気圧により突出動させれば、脳死ポイントＰにハンマーショックが与えられて撲殺される。
従って、通電せずに脳死させると共にコンパクトで手軽に持ち運べる魚類用脳死装置が提供できる。
【００１８】
その際、嵌入状態のまま挿入口１ａと一緒に頭部Ｆ１を水中から水上へ持ち上げてから、ハンマー手段２の打撃部２ａを突出動させれば、水による抵抗がないので、脳死ポイントＰへハンマーショックを確実に与えられてミスが減少する。
【００１９】
なお、魚類Ｆは頭部Ｆ１を水中から水上へ持ち上げられるため暴れるが、そののエラ周り面Ｆ２が挿入口１ａに対し隙間なく嵌合して位置ズレしないから、魚類Ｆが多少暴れても脳死ポイントＰに対してハンマーショックを確実に当てることができる。
【００２０】
また、脳死させる魚類Ｆの種類や雄雌の違いによって頭部Ｆ１のサイズが異なる場合には、予め頭部Ｆ１のサイズに合わせて、それに適合するサイズの挿入口１ａに交換すれば、ハンマー手段２の打撃部２ａが共通して使用可能となる。
その結果、異なる大きさの魚類Ｆが一つの魚類用脳死装置Ａで対応できる。
【００２１】
また更に、脳死させる魚類Ｆの頭部Ｆ１が標準的なサイズより若干小さいため、位置決め手段１の挿入口１ａに対し頭部Ｆ１を位置ズレしない位置まで挿入しても、脳死ポイントＰにハンマー手段２の打撃部２ａが正確に位置合わせできない場合には、図２に示す如く、挿入口１ａを構成する線材１ｂが魚類Ｆの測線Ｆ３に対して、その先端部１ｂ′が脳死ポイントＰより尾側となるように傾斜させて嵌入すれば、若干斜めとなるように嵌入させれば、若干小さな魚類Ｆの脳死ポイントＰにもハンマー手段２の打撃部２ａを正確に位置合わせできる。
【００２２】
これと逆に魚類Ｆの頭部Ｆ１が標準的なサイズより若干大きい場合には、図３に示す如く、挿入口１ａを構成する線材１ｂが魚類Ｆの測線Ｆ３に対して、その先端部１ｂが脳死ポイントＰより口側となるように傾斜させて嵌入すれば、若干大きな魚類Ｆの脳死ポイントＰにもハンマー手段２の打撃部２ａを正確に位置合わせできる。
その結果、魚類Ｆの頭部Ｆ１が標準サイズより若干小さい又は大きい場合でも交換部品なしで対応できるという利点がある。
【００２３】
尚、前示実施例では、位置決め手段１が、脳死ポイントＰを通る頭部Ｆ１の外周縁Ｆ２に沿って、断面円形の線材１ｂを略Ｕ字形に折り曲げて大部分が線接触させることにより構成される場合を示したが、これに限定されず、図示せぬが頭部Ｆ１の外周縁Ｆ２と面接触するように帯状材を略楕円形に折り曲げて構成しても良い。
更に魚類Ｆの測線Ｆ３方向へ間隔が開くように複数の線材又は帯状材をエラ周り面Ｆ２に沿って配置しても良い。
【００２４】
また、ハンマー手段２が、空気圧で駆動する例えば釘打機などのエアーガンである場合を示したが、これに限定されず、空気圧駆動により往復動するものであれば、他の構造であっても良い。
また更に、空気圧により突出動するハンマー手段２を使用したが、これに限定されず、電気を使用しなければ空気圧以外の油圧や水圧などで突出動するハンマー手段を使用しても良い。
【００２５】
【発明の効果】
以上説明したように、本発明のうち請求項１記載の発明は、位置決め手段１の挿入口１ａ内に魚類Ｆの頭部Ｆ１を嵌入することにより、この挿入口１ａに対して頭部Ｆ１が移動不能に位置決めされると同時に、その脳死ポイントＰと対向してハンマー手段２の打撃部２ａが位置決めされ、この嵌入状態でハンマー手段２の打撃部２ａを空気圧により突出動させれば、脳死ポイントＰにハンマーショックが与えられて撲殺されるので、脳死ポイントの位置検出が簡単でしかも通電しない魚類用脳死装置を提供できる。
従って、通電開始時に作業者が濡れた魚類に触れていると感電する恐れのある従来のものに比べ、作業者が魚類に触れたままでも感電の恐れが全くなく安全であると共に、コンパクトで手軽に持ち運べるから使用勝手が良く、しかも通電しないから誤って水中に落としても感電などの事故を防止できる。
【００２６】
請求項２の発明は、請求項１の発明の効果に加えて、脳死させる魚類Ｆの頭部Ｆ１のサイズに合わせて、それに適合するサイズの挿入口１ａに交換することにより、ハンマー手段２の打撃部２ａが共通して使用可能となるので、異なる大きさの魚類が一つの装置で対応できる。
従って、異なる大きさの魚類Ｆに対応して専用の装置を複数個用意する必要がないから経済的である。
【００２７】
請求項３の発明は、請求項１または２の発明の効果に加えて、水中で挿入口１ａ内に頭部Ｆ１を嵌入させる準備作業が、魚類Ｆを水中から水上へ取り上けずに行えるから、魚類Ｆが慣れない環境に驚いて暴れることがないので、準備作業をスムーズに行える。
従って、水中から取り出した暴れる魚類を地上へ取り上げて移動不能に押さえ込む準備作業が必要な従来のものに比べ、暴れる魚類を水面から離れた位置まで持ち運ぶ手間が省けて作業性が著しく向上し、その結果、熟練者でなくても短時間に大量の魚類を脳死できる。
【００２８】
請求項４の発明は、請求項３の発明の効果に加えて、魚類Ｆは頭部Ｆ１を水中から水上へ持ち上げられるために暴れるが、そのエラ周り面Ｆ２が挿入口１ａに対し隙間なく嵌合して位置ズレしないので、魚類が多少暴れても脳死ポイントへハンマーショックを確実に与えることができる。
従って、作業になれていない初心者でもミスが発生せず確実に脳死状態にできる。
【００２９】
請求項５の発明は、請求項３または４の発明の効果に加えて、頭部Ｆ１が標準サイズより若干小さい又は大きい魚類Ｆの場合には、挿入口１ａを魚類Ｆの測線Ｆ３に対して斜めに配置することにより、魚類Ｆの脳死ポイントＰにハンマー手段２の打撃部２ａが正確に位置合わせされるので、魚類Ｆの頭部Ｆ１が標準サイズより若干小さい又は大きい場合でも交換部品なしで対応できる。
【図面の簡単な説明】
【図１】  （ａ）は本発明の一実施例を示す魚類用脳死装置の一部切欠側面図であり、（ｂ）は魚類を縦断して示した正面図である。
【図２】  魚類の頭部が標準サイズより小さい場合の使用例を示す一部切欠側面図である。
【図３】  魚類の頭部が標準サイズより大きい場合の使用例を示す一部切欠側面図である。
【符号の説明】
Ｆ  魚類                          Ｆ１  頭部
Ｆ２  エラ周り面                  Ｆ３  測線
Ｐ  脳死ポイント                  １  位置決め手段
１ａ  挿入口                      ２  ハンマー手段
２ａ  打撃部
【図１】
0004528462.tif 000002
【図２】
0004528462.tif 000003
【図３】
0004528462.tif 000004